(57)【要約】【課題】ガス管に電気融着したサービスチー継手の立胴部に装着したホールソーでガス管への穿孔を行い、穿孔後、継手内に流入するガスが立胴部より外部に漏出するのを防止するため立胴部に取付けられるシール用の検圧ブラケットにおいて、立胴部への着脱が簡易に行える検圧ブラケットを提供する。【解決手段】検圧ブラケット２１の下面周縁に該周縁より斜め内向きに湾曲する湾曲部２３ｂを備えたゴム又は樹脂製のシールリップ２３を取付け、検圧ブラケット２１を継手１の立胴部３に取付けた状態でシールリップ２３が立胴部内周に突設される環状の段９に弾接する。ガス管１１への穿孔後、ガス管１１から流出するガスの圧力でシールリップ２３が段９に強く押し付けられシールする。【選択図】図７
2013256984.tif 000002
【特許請求の範囲】
【請求項１】
熱可塑性樹脂製のガス管との接合面に電熱線を埋設したサドル部と、接続されるガス管と直交してサドル部より突設される立胴部と、該立胴部より側方に突設され、分岐管が接続される分岐部を備えた熱可塑性樹脂製の電気融着サービスチー継手をサドル部において前記ガス管に電気融着後、前記立胴部に装着したホールソーでガス管への穿孔を行い、穿孔後、ホールソーをガス管より抜き出したときの立胴部からのガス漏れを防止するため、前記立胴部に着脱可能に装着され、側方に出し入れ可能に取付けられるストッパーを立胴部内周面に形成される係止溝に着脱可能に係止させることにより抜け止めされる検圧ブラケットであって、該検圧ブラケット下面の周縁に該周縁より斜め内向きに湾曲ないし傾斜し、立胴部内周面に突出形成される環状の段に弾接するゴム又は樹脂製の環状のシールリップを設けたことを特徴とする検圧ブラケット。
【発明の詳細な説明】
【技術分野】
【０００１】
本発明は、熱可塑性樹脂製の電気融着サドル継手、サービスチー継手、バイパス管を接続するのに用いるバイパスサドル継手などサドル部と、接続されるガス管と直交してサドル部より突設される立胴部とを備えたサドル形の電気融着継手において、サドル部を熱可塑性樹脂製のガス管に電気融着後、融着部の気密確認（融着接合した継手が確実に管に接合されているかの確認）のため継手内に注入された空気等の漏れ或いは前記立胴部に装着されたガス管穿孔用のホールソーにより、ガス管への穿孔を行ったのちの立胴部からのガス漏れを防止するため前記立胴部に着脱可能に装着されるシール用の検圧ブラケットに関する。
【背景技術】
【０００２】
サドル形の電気融着継手として、電気融着サービスチー継手、とりわけ大口径のサービスチー継手を例にとり、該継手をガス管に電気融着してガス管へ穿孔する際の前後の手順について、その概略を説明する。
【０００３】
先ず図１に示すサービスチー継手１の立胴部３にホールソー４を装着した状態で（このホールソー４は立胴部３に予め装着されるか、或いはサービスチー継手１をガス管に電気融着後、立胴部３に装着される）、ホールソー４にロッド５をホールソー軸心部において連結したのち、シール用の検圧ブラケット６をロッド５に上端部より差込んで立胴部３に装着する。
【０００４】
検圧ブラケット６は図２に示すように、内外周にｏリング７、８を備え、内周側のｏリング７はロッド５に圧着してロッド５との間をシールする一方、外周側のｏリング８は継手１の立胴部内周面に圧着して該内周面との間をシールし、ｏリング７、８で検圧ブラケット６の内外周をシールする。
【０００５】
検圧ブラケット６の押込みは、器具を用いて人力により検圧ブラケット６が立胴部内周面に内向きに突設される環状の位置決め用の段９に当たるまで行われ、段９に当たって位置決めされたのち、検圧ブラケット上面に回動可能に軸支されるストッパー１３を指先操作で回動して検圧ブラケット６より側方に突出させ、段上の立胴部内周面に形成される係止溝１４に嵌合係止させて、後述する融着部の気密確認時に継手内に注入された空気等の圧力及びガス管穿孔後において継手内に流入したガスの圧力による検圧ブラケット６の抜け止めを行う。
【０００６】
ホールソー４と検圧ブラケット６を装着したサービスチー継手１はついで、サドル部２をガス管１１に当てがい、図示しないクランプ器具を用いてクランプしたのち、サドル部２とガス管１１との電気融着を行い、電気融着後、前記クランプ器具を取外した後、分岐部１２に図示しない気密ストッパー(プラグ)を取付けてシールするか或いは分岐管を接続し、その後、継手内に注入した空気等によって圧力を掛け融着部の気密確認を行う。この際、立胴部上方へは検圧ブラケット６のｏリング７、８によりシールされ、空気等が漏出することはない。
【０００７】
その後、油圧シリンダー保持治具１５を介して油圧シリンダー１６を前記ロッド５に取付け（図４）、ついで継手１の立胴部上端部に図示しない反力受け治具を油圧シリンダー１６に被さるようにして取付け固定してから油圧シリンダー１６を圧力受治具に固定する。固定後、油圧シリンダー１６の作動によりロッド５を介してホールソー４を押下げ、押し切りによりガス管１１への穿孔を行う。
【０００８】
ガス管１１への穿孔後、油圧シリンダー１６の作動によりホールソー４を上向きに後退させる。このホールソー１４の上向きの後退は油圧シリンダー１６のストローク限まで行われる。
【０００９】
ホールソー４が後退してガス管より抜け出た後は、ガス管内のガスがホールソー４の周りより継手内に流出するが（分岐部１２には前述するように、気密ストッパーが取付けられ、シールされているか、或いは分岐管が接続されている）、気密確認の時と同様、立胴部上方へは検圧ブラケット６のｏリング７、８によりシールされ、漏出することはない。
【００１０】
ホールソー４が油圧シリンダー１６のストローク限に留められたのち、前記反力受け治具、油圧シリンダー１６及び油圧シリンダー保持治具１５を順に取外し、ついで図示しないホールソー引上装置を用いてホールソー４を引上げる。このホールソー４の引上げはホールソー上面の周縁が立胴部内周面に突出形成される段１７に当たるまで行われ、段１７に当たり、ホールソー上面の周縁より突設されるラッチ１８が段１７を乗り越え、段上のラッチ溝１９に嵌合係止した状態でホールソー４が保持される（図５）。この状態でホールソー上端部に取付けたｏリング１０が立胴部内周面に圧着してシールされる。
【００１１】
ホールソー４が図５の状態に保持されたのち、前記ホールソー引上装置、ロッド５、検圧ブラケット６を順に取外す。検圧ブラケット６を取外しても前述するようにホールソー上端部のｏリング１９でシールされ、立胴部３より外部にガス漏れを生ずることはない。検圧ブラケット６を取外したのちの立胴部３には、キャップ継手（図示しない）が取付けられる。
【発明の概要】
【発明が解決しようとする課題】
【００１２】
ガス管に電気融着したサドル形の電気融着継手において気密試験を行うとき、及び若しくは該継手に装着のホールソーによりガス管に穿孔後、ホールソーを引上げるときにガス管内のガスが立胴部より外部に漏出するのを防止するため検圧ブラケットが用いられ、立胴部に人力により押込められるが、検圧ブラケット外周に取付けられるｏリング８の一部がブラケット外周面より突出しているため、立胴部内周面への押し込みは容易でない。検圧ブラケットはまた、所定位置まで押し込んでおかないと、ストッパー１３を立胴部内周面に形成される係止溝１４に嵌合係止させることができない。
【００１３】
本発明は、電気融着サービスチー継手の立胴部への取付け及び取外しが簡易に行えるシール用の検圧ブラケットを提供することを目的とする。
【課題を解決するための手段】
【００１４】
本発明は、熱可塑性樹脂製のガス管との接合面に電熱線を埋設したサドル部と、接続されるガス管と直交してサドル部より突設される立胴部と、該立胴部より側方に突設され、分岐管が接続される分岐部を備えた熱可塑性樹脂製の電気融着サービスチー継手をサドル部において前記ガス管に電気融着後に行う気密確認のとき、及び若しくは気密確認後、前記立胴部に装着したホールソーでガス管への穿孔を行い、穿孔後、ホールソーをガス管より抜き出したときの立胴部からのガス漏れを防止するため、前記立胴部に着脱可能に装着され、側方に出し入れ可能に取付けられるストッパーを立胴部内周面に形成される係止溝に着脱可能に係止させることにより抜け止めされる検圧ブラケットであって、該検圧ブラケット下面の周縁に該周縁より斜め内向きに湾曲ないし傾斜し、立胴部内周面に突出形成される環状の段に弾接するゴム又は樹脂製の環状のシールリップを設けたことを特徴とする。
【発明の効果】
【００１５】
本発明の検圧ブラケットによると、シールは検圧ブラケット下面の周縁に設けたシールリップが立胴部内周面に突出形成される段に弾接することにより行われ、しかもこの弾接は融着部の気密確認時に継手内に注入される空気等の圧力及び若しくはガス管への穿孔後において、ガス管より継手内にかかるガスの圧力によってシールリップが段に強く押し付けられるようになり、シールが確実に行えるようになること、外周面にはｏリングなどシール用の部材が突設されていないうえ、検圧ブラケットの外径は立胴部の内径より小さくすることも可能で、立胴部への装着が単に置くだけで簡易に行えること、シールリップにより段上に支持された検圧ブラケットは、例えストッパーが立胴部内周面に形成される係止溝より上方に位置して、そのままでは係止溝に係止させることができない場合でも、検圧ブラケットを押込んでシールリップを屈曲させることで、ストッパーを係止溝に容易に合わせることができること、シールリップは例えば検圧ブラケットの周縁に形成される環状溝に嵌合させており、検圧ブラケット周縁に突出形成される突部ないし突条に嵌合させるか、或いは検圧ブラケット周縁に接着させるだけで簡単に取付けることができ、従来の検圧ブラケットに大幅な構成上の変更をもたらす必要がないこと、等の効果を有する。
【図面の簡単な説明】
【００１６】
【図１】従来の検圧ブラケットを装着したサービスチー継手の断面図。
【図２】従来の検圧ブラケットの断面図。
【図３】検圧ブラケットの要部の平面図。
【図４】電気融着後、油圧シリンダーを取付けたサービスチー継手の断面図。
【図５】ホールソーを引上げたときのサービスチー継手の断面図。
【図６】本実施形態の検圧ブラケットの平面図。
【図７】立胴部に取付けた検圧ブラケットの要部の断面図。
【図８】別の態様のストッパーを取付けた検圧ブラケットの要部の平面図。
【図９】検圧ブラケットに取付けられる別の態様のシールリップの断面図。
【発明を実施するための形態】
【００１７】
以下、本発明の実施形態のシール用の検圧ブラケットについて図面により説明する。図中、図１〜図４に示す構造と同一構造部分には同一符号を付してある。
【００１８】
図６は、本実施形態の検圧ブラケット２１の断面図、図７は立胴部３に取付けた検圧ブラケット２１の要部の断面を示すもので、本実施形態の検圧ブラケット２１が前述の検圧ブラケット６と異なるのは、検圧ブラケット６の外周面に備えるｏリング８を有しておらず、下面の周縁に形成される環状溝２２にゴム又は樹脂製の環状のシールリップ２３を嵌着して取付けた点で、シールリップ２３は、環状溝２２への嵌着部２３ａと、該嵌着部２３ａより斜め内向きに湾曲する湾曲部２３ｂを備え、検圧ブラケット２１を立胴部３に取付けた状態でシールリップ２３の湾曲部２３ｂが立胴部内周面に突出形成される環状の段９に上面より弾接するようになっており、融着部の気密試験のときに継手内に注入される空気等の圧力及び若しくはガス管１１への穿孔後、ホールソー４を引上げてガス管１１より抜き出したとき、継手内に流入するガスの圧力により、ガス圧が大きくなる程湾曲部２３ｂが段９の上面に強く押し付けられてシールされるようになっている。
【００１９】
検圧ブラケット２１の外径は、立胴部３の内径より若干小さく、図７に示すように立胴部内周面とは若干のクリアランスを存している。このため検圧ブラケット２１は立胴部内に押し込むことなく挿入し、段９上に単に置くだけでシールリップ２３が段９に弾接するようになる。
【００２０】
検圧ブラケット２１を立胴部内に装着後、検圧ブラケット上面に数か所設けられるストッパー１３をそれぞれ指先操作で回動して検圧ブラケット２１より側方に突出させ、段上の立胴部内周面に形成される係止溝１４に嵌合係止させる。これにより検圧ブラケット２１の抜け止めが行われ、該ブラケット２１にガス圧が作用しても検圧ブラケット２１の固定が維持される。
【００２１】
前記ストッパー１３は図８に示すように、検圧ブラケット上面に突設される一対のピン２５に嵌合する長孔２６を有し、該長孔２６の範囲内で径方向にスライド可能に取付けられるストッパー２７とし、該ストッパー２７を指先操作でスライドさせて検圧ブラケット２１より突出させ、係止溝１４に嵌合係止させるようにしてもよい。
【００２２】
シールリップ２３は、前記実施形態においては、嵌着部２３ｃを有し、検圧ブラケット２１の環状溝２２へ嵌着させるようになっているが、検圧ブラケットの下面周縁に形成される突部や環状の凸条に嵌着して取付けてもよいし、図８に示す実施形態のようにシールリップ２９を検圧ブラケット２１の下面周縁に接着剤にて接着して取付けてもよい。
【００２３】
本実施形態の検圧ブラケット２１は、ホールソー４によるガス管１１への穿孔後、継手内に流入するガスのシールのため立胴部３に装着されるが、ホールソー４によるガス管１１への穿孔は前述するような押し切りによることなく、ホールソー４を動力装置を用いて或いは人力により回動して回し切りにより行うようにしてもよく（ガス管１１からの抜出も逆回転されることにより行われる）、押し切りをするにしても前述の方法と異なる器具を用いて行うことも可能である。
【符号の説明】
【００２４】
１・・サービスチー継手
３・・立胴部
４・・ホールソー
６、２１・・検圧ブラケット
７、８、１０・・ｏリング
９、１７・・段
１１・・ガス管
１３、２５・・ストッパー
１６・・油圧シリンダー
１８・・ラッチ
１９・・ラッチ溝
２２・・環状溝
２３、２９・・シールリップ
【図１】
2013256984.tif 000003
【図２】
2013256984.tif 000004
【図３】
2013256984.tif 000005
【図４】
2013256984.tif 000006
【図５】
2013256984.tif 000007
【図６】
2013256984.tif 000008
【図７】
2013256984.tif 000009
【図８】
2013256984.tif 000010
【図９】
2013256984.tif 000011